(57)【特許請求の範囲】
【請求項１】
交互に配設された遊技機と遊技媒体貸機と、前記遊技媒体貸機の各々に対応して配置され、投入された紙幣の真贋と金種を識別した後、前記紙幣を収納する紙幣処理装置と、複数の前記遊技機と隣接する前記遊技機の間に配設された前記遊技媒体貸機とで構成された遊技機島の上方に架設され、前記紙幣処理装置を介して送り込まれた紙幣を搬送するとともに釣銭として小額紙幣を遊技者に払い戻すことができる釣銭搬送機構とを備えた紙幣搬送システムにおいて、
前記紙幣処理装置は、前記釣銭搬送機構の下方に配設され、投入された紙幣の真贋と金種を識別する識別部と、前記識別部によって識別された紙幣の内高額紙幣を収納する収納ボックスを備え、
前記釣銭搬送機構は、前記紙幣処理装置から送り込まれた小額紙幣を上下方向に循環搬送する搬送経路を有し、
前記釣銭搬送機構に小額紙幣を供給するために、一定量の小額紙幣を収納する収納金庫と、
前記釣銭搬送機構と前記収納金庫とを接続するための、前記釣銭搬送機構の上側部分の前記搬送経路に連通する補充経路、及び、前記釣銭搬送機構の下側部分の前記搬送経路に連通する収納経路と、
前記収納金庫から前記釣銭搬送機構に小額紙幣を一定量供給する場合、及び、前記紙幣処理装置から小額紙幣が送り込まれた場合には、前記収納経路を閉じると共に前記搬送経路を開放し、前記釣銭搬送機構を循環する小額紙幣がオーバーフローした場合には、前記収納経路を開放すると共に前記搬送経路を閉じて、前記釣銭搬送機構内の小額紙幣が一定量になるまで前記収納金庫に取り込み集積するように前記収納経路と前記搬送経路とを選択的に切り換える切り換え機構と、
前記紙幣処理装置の近傍に配設され、小額紙幣を釣銭として払い戻すための釣銭払い戻し通路と
遊技者の釣銭要求に応じて前記循環搬送中の小額紙幣を前記釣銭払い戻し通路へ導出する切り換え機構を前記搬送経路と前記釣銭払い戻し通路との接続部に設けた、
ことを特徴とする紙幣搬送システム。
【請求項２】
前記紙幣搬送システムは、前記紙幣処理装置に紙幣が投入された際に、前記釣銭搬送機構の最初の稼働時に前記収納金庫から前記釣銭搬送機構に供給された一定量となるように、前記釣銭搬送機構内を循環搬送させる小額紙幣枚数を制御する
ことを特徴とする請求項１項記載の紙幣搬送システム。
【発明の詳細な説明】
【技術分野】
【０００１】
本発明は、遊技機と遊技媒体貸機を交互に多数配設するとともに、前記遊技媒体貸機に内設、または独立して設けられた紙幣処理装置を介して投入された紙幣を釣銭用小額紙幣として搬送する釣銭搬送機構とを備えた紙幣搬送システム、特に高額紙幣に対する釣銭を払い戻すことが可能な紙幣搬送システムに関する。
【背景技術】
【０００２】  一般にパチンコやスロットのどのゲームを行う遊技場では、遊技者が好みの遊技機から離れずに、遊技媒体を借りることができるように、隣り合う遊技機と遊技機の間に遊技媒体貸機を配設している。このような遊技機と遊技機の間に遊技媒体貸機を配設したタイプの装置の多くは、投入された紙幣の真贋を識別するために紙幣処理装置を遊技媒体貸機に内設するか、または遊技媒体貸機とは別に独立して設けるとともに、その紙幣処理装置から投入された紙幣を回収保管するための紙幣搬送機構とを組合せて紙幣搬送システムを構成している。そして、更に、最近では、高額紙幣に適応するように、このような紙幣搬送システムに遊技者に釣銭を払出すための機構を付加するようになってきている。【０００３】  例えば、特開２００１−５４６７５に開示されているシステムでは、遊技媒体貸出機と、に、この遊技媒体貸出機に釣銭用の貨幣を収納する釣銭収納部と、釣銭収納部の釣銭が不足したときに複数の金種の貨幣を混在させて搬送するための搬送路を有する貨幣搬送機構とを備え、この貨幣搬送機構から釣銭用の貨幣を取り込んで釣銭収納部に収納するための貨幣取込機構とで構成している。
【特許文献１】  特開２００１−５４６７５公報
【発明の開示】
【発明が解決しようとする課題】
【０００４】  しかしながら、上述した技術は、各遊技媒体貸出機に釣銭用の貨幣を含めて紙幣の真贋と金種を識別する装置（紙幣判別器）を設けるとともに、一旦収納した金庫から釣銭用の貨幣を貨幣搬送機構に送り込むための金種を識別する装置（紙幣判別器）ならびに釣銭用の貨幣を取り込むための識別装置（紙幣判別器）が必要となるなどシステムが複雑となりコストアップの要因となるばかりか、貨幣搬送機構には常時複数の金種の貨幣が混在されて搬送されているため釣銭要求にすばやく対応することができなく、しかも、貨幣搬送機構内部に存在する釣銭用の貨幣の割合が少なくなった時に多量の釣銭の要求があった場合などに直ちに対応することが困難となる恐れが有った。また、閉店時などで貨幣搬送機構内の紙幣を回収する場合に紙幣の識別・分別という工程が必要となり回収時間が多くかかると言う問題があった。更に、このシステムにあっては、貨幣搬送機構を各遊技媒体貸出機の間を水平方向に循環させる構造のため、システムを薄型（奥行を浅くする。）化することが困難で店舗運営上不利であった。【０００５】
本発明は、上述した従来技術における問題点を解決するためになされたもので、交互に配設された遊技機と遊技媒体貸機と、前記遊技媒体貸機の各々に対応して配置され、投入された紙幣の真贋と金種を識別した後、前記紙幣を収納する紙幣処理装置と、複数の前記遊技機と隣接する前記遊技機の間に配設された前記遊技媒体貸機とで構成された遊技機島の上方に架設され、前記紙幣処理装置を介して送り込まれた紙幣を搬送するとともに釣銭として小額紙幣を遊技者に払い戻すことができる釣銭搬送機構とを備えた紙幣搬送システムにおいて、
前記紙幣処理装置は、前記釣銭搬送機構の下方に配設され、投入された紙幣の真贋と金種を識別する識別部と、前記識別部によって識別された紙幣の内高額紙幣を収納する収納ボックスを備え、
前記釣銭搬送機構は、前記紙幣処理装置から送り込まれた小額紙幣を上下方向に循環搬送する搬送経路を有し、
前記釣銭搬送機構に小額紙幣を供給するために、一定量の小額紙幣を収納する収納金庫と、
前記釣銭搬送機構と前記収納金庫とを接続するための、前記釣銭搬送機構の上側部分の前記搬送経路に連通する補充経路、及び、前記釣銭搬送機構の下側部分の前記搬送経路に連通する収納経路と、
前記収納金庫から前記釣銭搬送機構に小額紙幣を一定量供給する場合、及び、前記紙幣処理装置から小額紙幣が送り込まれた場合には、前記収納経路を閉じると共に前記搬送経路を開放し、前記釣銭搬送機構を循環する小額紙幣がオーバーフローした場合には、前記収納経路を開放すると共に前記搬送経路を閉じて、前記釣銭搬送機構内の小額紙幣が一定量になるまで前記収納金庫に取り込み集積するように前記収納経路と前記搬送経路とを選択的に切り換える切り換え機構と、
前記紙幣処理装置の近傍に配設され、小額紙幣を釣銭として払い戻すための釣銭払い戻し通路と
遊技者の釣銭要求に応じて前記循環搬送中の小額紙幣を前記釣銭払い戻し通路へ導出する切り換え機構を前記搬送経路と前記釣銭払い戻し通路との接続部に設けた、
ことを特徴とする紙幣搬送システムを備えることによって、釣銭の払い出し時点での識別装置が不要な簡単な構成の紙幣搬送装置システムを得ることができ、しかも、釣銭の要求に対しては、要求のある遊技機、遊技媒体貸機に最も近い紙幣から順次払い出すことができ遊技者の要求にすばやく対応することができる。しかも、釣銭搬送機構は、小額紙幣を水平状態に維持した状態で循環させるので遊技機島の薄型（奥行）化が可能となり、店舗運営上有利である。更に、閉店時などで釣銭搬送機構内の紙幣を回収する場合にも識別・分別という工程が不要となり回収時間が短縮されるなどの効果を有する紙幣搬送システムを提供することを目的とする。
【課題を解決するための手段】
【０００６】
上述した従来技術の問題点を解決するために、前記紙幣搬送システムは、前記紙幣処理装置に紙幣が投入された際に、前記釣銭搬送機構の最初の稼働時に前記収納金庫から前記釣銭搬送機構に供給された一定量となるように、前記釣銭搬送機構内を循環搬送させる小額紙幣枚数を制御することを特徴とするものである。
【０００７】  上記のように構成することにより、遊技者からの釣銭の要求に対して、釣銭搬送機構内で要求が有った遊技機、遊技媒体貸機に最も近い位置にある紙幣から釣銭払い戻し通路を介して順次払い出されるので、遊技者の要求にすばやく対応することができ、かつ、釣銭搬送機構は、釣銭用の小額紙幣を水平状態に維持したまま循環搬送することにより、遊技機島の薄型化が図れ、店舗運営上有利である。さらに、釣銭搬送機構には、釣銭用の小額紙幣のみが投入されるため、釣銭の払い出しの対象となっている遊技媒体貸機とは別の遊技媒体貸機からの小額紙幣投入を阻害することもなく、しかも、閉店時に釣銭搬送機構内の紙幣を回収する場合にも紙幣の識別・分別という工程が不要となり回収時間も短縮される。【０００８】  次の発明は、前記釣銭搬送機構は、小額紙幣を初期量供給した後に停止し、釣銭要求に応じて再稼動するものである。【０００９】  上記のように構成することにより、常時紙幣搬送システム、特に、釣銭搬送機構を駆動する必要がないので、騒音の減少が図れるばかりか、釣銭搬送機構を駆動による振動によって遊技機、遊技媒体貸機などに影響を与える恐れがなく、しかも、紙幣搬送システムの耐久性も向上する。【００１０】  次の発明は、前記釣銭搬送機構は、隣設する紙幣処理装置間に少なくとも９枚の小額紙幣を常時配置したものである。【００１１】  上記のように構成することにより、最初の釣銭要求に対して、釣銭切れが生ずることがなく、遊技者に不快感を与えることがない。
【発明の効果】
【００１２】  釣銭搬送機構内部には、釣銭用の小額紙幣のみが搬送されているので、遊技者からの釣銭の要求に対して、釣銭搬送機構内で要求が有った遊技機、遊技媒体貸機に最も近い位置にある紙幣から釣銭払い戻し通路を介して順次払い出され、遊技者の要求にすばやく対応することができ、かつ、釣銭搬送機構は、釣銭用の小額紙幣を水平状態に維持したまま循環搬送することにより、遊技機島の薄型化が図れ、店舗運営上有利である。さらに、釣銭搬送機構には、釣銭用の小額紙幣のみが投入されるため、釣銭の払い出しの対象となっている遊技媒体貸機とは別の遊技媒体貸機からの小額紙幣投入を阻害することもなく、しかも、閉店時に釣銭搬送機構内の紙幣を回収する場合にも紙幣の識別・分別という工程が不要となり回収時間も短縮される。
【発明を実施するための最良の形態】
【００１３】  図１は、本発明の紙幣搬送システムを示した正面図、図２は、紙幣処理システムの要部拡大図、装置を示した概略断面図、図３は、紙幣処理装置の一例を示した断面図、図４は、遊技媒体貸機の一例を示した正面図、図５は、本発明の作動手順を示したフローチャートである。【００１４】  本発明の紙幣搬送システム１００は、図１に示すように、遊技機１０と遊技媒体貸機２０を交互に配設して構成された遊技機島の上方に架設されている。この紙幣搬送システム１００は、各々の遊技媒体貸機２０に対応して、その遊技媒体貸機２０の上方に配置された紙幣処理装置３０と、その紙幣処理装置３０の上部に配設された釣銭搬送機構４０と、該釣銭搬送機構４０の上流端部に設けられた収納金庫５０とで構成されている。尚、本発明では、紙幣処理装置３０を遊技媒体貸機２０から分離して遊技媒体貸機２０の上方に配設しているが、遊技媒体貸機２０に内設することもできる。要は、遊技者が投入した紙幣を識別して釣銭搬送機構４０に送り込むことができれば取り付け位置に制限されるものではない。【００１５】  遊技媒体貸機２０は、図４に示すように、公知の遊技媒体貸機の機能に加え、高額紙幣対応として、貸出ボタン２１と、精算ボタン２２ならびに貸出枚数、売上、異常表示などを随時表示する共通表示部２３と、残額表示部２４とが設けられている。尚、２５は、メダルの払出ノズルである。【００１６】  紙幣処理装置３０は、前述した各々の遊技媒体貸機２０の上方に離間して配設されている。また、この紙幣処理装置３０に隣設して釣銭搬送機構４０の釣銭払い戻し通路４２が形成されている。【００１７】
紙幣処理装置３０は、図３に示すように、筐体３１の上部に紙幣搬送路３２を形成し、該紙幣搬送路３２に識別部３３を配設するとともに該紙幣搬送路３２の下方に収納ボックス３４を画成している。紙幣搬送路３２に投入された紙幣は、紙幣搬送機構３７により搬送され、識別部３３を通過した後に取り込み通路３５に取り込まれ、リンク機構３６によって収納ボックス３４に積載収納される。そして、前述の紙幣搬送路３２の後部には、釣銭搬送機構４０の搬送経路４１に通ずる投入通路４７と連通する排出通路３８が開口されている。そして、この取り込み通路３５と排出通路３８との接続近傍には、紙幣を取り込み通路３５あるいは排出通路３８方向に搬送するかを選択する収納切り換え機構３９が配設されている。
【００１８】  一般に用いられている紙幣処理装置が識別部３３で紙幣の真贋と金種を識別した後に小額紙幣を釣銭用として収納ボックス３４に積載収納しているのに対し、本件発明の紙幣処理装置３０は、小額紙幣を排出通路３８から釣銭搬送機構４０に送り込み、高額紙幣を収納ボックス３４に積載収納するように設定されている。即ち、釣銭搬送機構４０には、釣銭用の小額紙幣のみが搬送されている。【００１９】  釣銭搬送機構４０は、図１に示すように、複数の遊技機１０と隣設する遊技機１０の間に配設された遊技媒体貸機２０とで構成された遊技機島の上方に各遊技媒体貸機２０に対して各々離間して設けられた紙幣処理装置３０上に架設されている。そして、釣銭搬送機構４０は、垂直方向（上下＝遊技機島の高さ方向）に循環して、前述の紙幣処理装置３０から送り込まれた小額紙幣を搬送する。【００２０】  この釣銭搬送機構４０は、遊技機島の両端部上方に設けられた駆動ギア４０ａと従動ギア４０ｂとその間に巻架された無端の搬送ベルト４０ｃとを備えた搬送部と、２つのローラ４０ｄとその間に巻架されたベルト４０ｅよりなるガイド部とで構成されている。そして、前述の搬送ベルト４０ｃとベルト４０ｅとの間に紙幣の搬送経路４１を形成している。この釣銭搬送機構４０は、搬送ベルト４０ｃの下側部分の搬送経路４１で紙幣処理装置３０から送り込まれた紙幣を釣銭搬送機構４０の上流側（図２の紙面上左側端部）に配設された収納金庫５０に収納する方向に回転して小額紙幣を循環させる。【００２１】  収納金庫５０は、釣銭搬送機構４０の上流側（図２の紙面上左側端部）に配設され、内部に昇降機５１と昇降機５１によって上下する紙幣収納部５２と送り出しローラ５３を備えている。【００２２】  上記した釣銭搬送機構４０と遊技者とは、搬送経路４１と紙幣処理装置３０に隣設して形成された遊技機島の内部を貫通する釣銭払い戻し通路４２とで連絡されている。そして、搬送経路４１と釣銭払い戻し通路４２との接続部には、切り換え機構４３が配設され、遊技者から釣銭の要求が有った時に搬送経路４１を閉じ、紙幣を釣銭払い戻し通路４２に誘導して遊技者に釣銭を払いだす。尚、この釣銭払い戻し通路４２を釣銭搬送機構４０の内部に形成することも可能である。【００２３】  一方、釣銭搬送機構４０と収納金庫５０とは、図２に示すように、釣銭搬送機構４０の上側部分の搬送経路４１と連通する補充経路４４と下側部分の搬送経路４１と連通する収納経路４５とで接続されている。この下側部分の搬送経路４１と収納経路４５の接続部分には、切り換え機構４６が配設され、下側部分の搬送経路４１で搬送されてくる小額紙幣を収納経路４５側或いは上側部分の搬送経路４１に搬送するように選択的に切り換えている。【００２４】  従って、遊技者が紙幣処理装置３０に投入した紙幣は、紙幣搬送路３２の上面を紙幣搬送機構３７によって搬送され、識別部３３で真贋、金種が識別された後に、高額紙幣は、収納ボックス３４に積層収納され、小額紙幣は、排出通路３８から投入通路４７を通過して釣銭搬送機構４０に取り込まれ、釣銭搬送機構４０の下側の搬送経路４１に沿って釣銭搬送機構４０の内部を循環した後に停止維持される。【００２５】
つぎに、本発明の紙幣搬送システム１００の作動ステップを図５のフローチャートを参照して説明する。
ＳＴ１（開店時）：開店前に収納金庫５０の紙幣収納部５２に一定量の小額紙幣を収納する。この小額紙幣の量は、釣銭搬送機構４０内を循環搬送させる量（紙幣処理装置３０から小額紙幣が投入されても直ちにオーバフローしない量）と釣銭を払い出して釣銭搬送機構４０の小額紙幣が不足した場合に補充するための量である。そして、昇降機５１によって、紙幣収納部５２を上部に位置させる。即ち、送り出しローラ５３で小額紙幣を補充経路４４に送り出すことができる位置にセットする。
ＳＴ２（釣銭準備）：釣銭搬送機構４０を稼動させる。この時、収納経路４５は、閉じられている。従って、搬送経路４１は、開放されている。紙幣収納部５２に収納されている小額紙幣を釣銭搬送機構４０に一定量供給する。供給後は、紙幣処理装置３０に紙幣が投入されるまで釣銭搬送機構４０は停止しているが、常時稼動させるように設定しても良い。
ＳＴ３（遊技スタート）：遊技者が紙幣処理装置３０に紙幣を投入すると、センサ（図示しない）で投入を確認して紙幣搬送機構３７を駆動させ、紙幣を紙幣搬送路３２内に搬送する。
ＳＴ４（紙幣識別）：紙幣搬送路３２内に取り込まれた紙幣は、識別部３３で真贋と金種が識別される。
ＳＴ５（高額紙幣の集積）：識別の結果、高額紙幣の場合には、常時、収納切り換え機構３９が排出通路３８を閉鎖しているため、収納切り換え機構３９にガイドされ取り込み通路３５から取り込まれ、リンク機構３６で収納ボックス３４に押し込まれ積載収納される。
ＳＴ６（小額紙幣＝釣銭の収集）：識別の結果、小額紙幣の場合には、収納切り換え機構３９が作動して排出通路３８を開放し、紙幣を釣銭搬送機構４０方向に送り出す。そして、この小額紙幣が釣銭として使用される。この時点で、釣銭搬入の確認が可（搬入可）の場合には、釣銭搬送機構４０が稼動する。
ＳＴ７（釣銭搬入可の処置）：紙幣処理装置３０の排出通路３８から送り出された小額紙幣は、投入通路４７から釣銭搬送機構４０に投入され、搬送ベルト４０ｃの回動によって搬送ベルト４１ｃとローラ４１ｄの間に形成された搬送経路４１に沿って循環する。この時、切り換え機構４６は収納経路４５を閉じて搬送経路４１を開放している。
ＳＴ８（釣銭搬入不可の処置）：釣銭搬入の確認の結果、搬入不可となった場合、原因に応じて、つぎの処置が取られる。その原因を大別すると次の２つの理由が考えられる。
理由１・・釣銭搬送機構４０に搬入されている釣銭が所定の量に達しており、追加搬入ができない場合、この場合は、釣銭搬送機構４０を再稼動させると同時に切り換え機構４６を作動させて収納経路４５を解放するとともに搬送経路４１を閉じて一定量の釣銭を収納金庫５０の送り出しローラ５３を取り込み方向に回転させて紙幣収納部５２内に小額紙幣を取り込み集積する。具体的には、小額紙幣の釣銭搬送機構４０への投入が増加すると、その状況が枚数カウントセンサＳ１で検出され制御装置（図示しない）に送信される。その結果、オーバフロー状態として処理される。即ち、切り換え機構４６が作動して収納経路４５を開放するとともに切り換え機構４６で搬送経路４１を閉鎖して小額紙幣を収納金庫５０に導入し積載収納する。この収納は、釣銭搬送機構４０内の小額紙幣が一定量になるまで続行される。そして、小額紙幣の収納が完了すると切り換え機構４６が作動して収納経路４５を閉じ、小額紙幣を釣銭搬送機構４０内の搬送経路４１に沿って循環させる。
理由２・・システム故障、この場合には釣銭搬送機構４０の停止を維持したままシステムを停止させる。その後、点検、紙幣の返却などの必要な処置を実施する。
ＳＴ９（精算＝釣銭要求）：つぎに、遊技者が遊技媒体貸機２０に設けられた精算ボタン２２を操作して釣銭を要求した場合には、残額表示部２４に表示された金額（積算制御部（（図示しない））で投入金額と使用金額の積算結果）に基づいて紙幣が払い出される。
ＳＴ１０（釣銭の有無確認）：ここで、釣銭搬送機構４０内の紙幣の枚数と要求釣銭の枚数が比較され、釣銭が不足していないか確認される。
ＳＴ１１（釣銭の払い出し）：釣銭が不足していない場合には、搬送経路４１に配設された切り換え機構４３を切り換えて、搬送経路４１内を循環している小額紙幣を釣銭払い戻し通路４２に導き遊技者に釣銭を払いだす。当然、この釣銭は、釣銭払い戻し通路４２の入口に配置された枚数カウントセンサＳ１でカウントチェックされる。
ＳＴ１２（釣銭不足）：複数の釣銭要求によって釣銭不足が予想された場合には、釣銭搬送機構４１内の小額紙幣が不足（予め設定したシキイ値に対して）してくるとそのデータに基づいて、収納金庫５０に補給指令が発令され、補充経路４４から小額紙幣が搬送経路４１の上部から導出される。即ち、収納金庫５０内に配設されている昇降機５１が作動して、紙幣収納部５２を上昇させる。この紙幣収納部５２の上昇により紙幣収納部５２と補充経路４４が連通する。この状態で送り出しローラ５３を回転させ収納されている小額紙幣を補充経路４４から釣銭搬送機構４０の搬送ベルト４０ｃの上側部分に送り出す。送り出された小額紙幣は、搬送ベルト４０ｃの回転により循環して搬送経路４１内で一定量に達するまで補充される。
ＳＴ１３（釣銭搬送機構内の枚数確認）：釣銭の払い出し後に釣銭搬送機構４０内の枚数確認して、その枚数がシキイ値以上であれば釣銭搬送機構４０を停止し、シキイ値以下であればＳＴ１２と同様にして釣銭を補充する。尚、このシキイ値を監視することによって、不正行為をチェックすることができる。
ＳＴ１４（閉店時における紙幣の回収）：小額紙幣の回収は、収納経路４５の入口に配置された切り換え機構４６を開放するとともに搬送経路４１を閉じる。そして、釣銭搬送機構４０を一回循環させるだけで小額紙幣が収納金庫５０の紙幣収納部５２に導入され、それを回収することによって完了する。また、高額紙幣の回収は、各遊技媒体貸機２０の上部に配設されている紙幣処理装置３０の収納ボックス３４から直接取り出すことによって完了する。
【図面の簡単な説明】
【００２６】
【図１】  本発明な紙幣搬送システムを示した平面図である。
【図２】  紙幣処理システムの要部拡大図、
【図３】  紙幣処理装置を示した概略断面図である。
【図４】  遊技媒体貸機の一例を示した正面図である。
【図５】  本発明の作動手順を示したフローチャートである。
【符号の説明】
【００２７】  １００  紙幣搬送システム
１０    遊技機
２０    遊技媒体貸機
２１    貸出ボタン
２２    精算ボタン
２３    共通表示部
２４    残額表示部
２５    払出ノズル
３０    紙幣処理装置
３１    筐体
３２    紙幣搬送路
３３    識別部
３４    収納ボックス
３５    取り込み通路
３６    リンク機構
３７    紙幣搬送機構
３８    排出通路
３９    収納切り換え機構
４０    釣銭搬送機構
４０ａ  駆動ギア
４０ｂ  従動ギア
４０ｃ  搬送ベルト
４０ｄ  ローラ
４０ｅ  ベルト
４１    搬送経路
４２    釣銭払い戻し通路
４３    切り換え機構
４４    補充経路
４５    収納経路
４６    切り換え機構
４７    投入通路
５０    収納金庫
５１    昇降機
５２    紙幣収納部
５３    送り出しローラ
Ｓ１    枚数カウントセンサ
【図１】
0004798578.tif 000002
【図２】
0004798578.tif 000003
【図３】
0004798578.tif 000004
【図４】
0004798578.tif 000005
【図５】
0004798578.tif 000006